【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
方法であって、
メディアデバイスにおいて、メディアコンテンツアイテムの基準バージョンと関連付けられた複数の時間ベースのメタデータを受信するステップであって、前記複数の時間ベースのメタデータは、前記メディアコンテンツアイテムがコンテンツプロバイダによって最初に放送された際にサービスプロバイダによって作成され、前記複数の時間ベースのメタデータは、前記メディアコンテンツアイテム内の第１の位置を示す前記メディアコンテンツアイテム内のインバンドデータの第１のハッシュ値データシーケンスおよび前記メディアコンテンツアイテム内の第２の位置を示す前記メディアコンテンツアイテム内のインバンドデータの第２のハッシュ値データシーケンスを含む、ステップと、
前記メディアデバイスにおける記憶デバイス上に、前記メディアコンテンツアイテムの受信されたバージョンを記憶するステップと、
第１のユーザ入力に応答して、前記記憶されたメディアコンテンツアイテムの表示を生じさせるステップと、
前記記憶されたメディアコンテンツアイテムの表示を生じさせながら、前記記憶されたメディアコンテンツアイテム内のインバンドデータのハッシュ値シーケンスを計算するステップと、
第１の計算されたハッシュ値シーケンスが前記第１のハッシュ値シーケンスに類似することを判定するステップと、
第２のユーザ入力に応答して、
第２の計算されたハッシュ値シーケンスが前記第２のハッシュ値シーケンスに類似することを判定するステップと、
前記記憶されたメディアコンテンツアイテムの表示に、前記第１の計算されたハッシュ値シーケンスと関連付けられた前記記憶されたメディアコンテンツアイテム内の第１の場所と、前記第２の計算されたハッシュ値シーケンスと関連付けられた前記記憶されたメディアコンテンツアイテム内の第２の場所との間の前記記憶されたメディアコンテンツアイテムの一部を表示させないステップと
を含む、方法。
【請求項２】
前記メディアコンテンツアイテムの受信されたバージョンは、前記メディアコンテンツアイテム内の第１の位置と異なる重複セグメント位置を有する、重複コンテンツセグメントを備え、前記メディアコンテンツ内のインバンドデータの重複ハッシュ値シーケンスと関連付けられた重複コンテンツセグメントは、前記重複セグメント位置を示し、前記方法はさらに、
第３の計算されたハッシュ値データシーケンスが前記第１のハッシュ値データシーケンスに類似することを判定するステップと、
前記第２のユーザ入力に応答して、
前記記憶されたメディアコンテンツアイテムの表示に、前記重複コンテンツセグメントを前記第３の計算されたハッシュ値シーケンスと関連付けられた前記記憶されたメディアコンテンツアイテム内の第３の場所に表示させるステップと
を含む、請求項１に記載の方法。
【請求項３】
前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないステップはさらに、
前記第２の場所と関連付けられたオフセットを計算するステップであって、前記オフセットは、前記第２の場所と関連付けられた時間と前記メディアコンテンツアイテムと関連付けられた現在のストリーム時間との間の差異に追加される、前記メディアデバイスにおける前記メディアコンテンツアイテムの受信されたバージョンと関連付けられた現在の時間を備え、前記現在のストリーム時間は、前記メディアコンテンツアイテム内の第１の位置に基づく、ステップ
を含む、請求項１に記載の方法。
【請求項４】
前記第２のユーザ入力は、タイムラインユーザインターフェースの選択を備え、前記選択は、前記第２の場所を示し、前記方法はさらに、
前記選択に基づいて、前記オフセットを判定するステップと、
前記選択に基づいて、前記オフセットを使用して、前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないステップと
を含む、請求項３に記載の方法。
【請求項５】
命令を記憶する１つまたはそれを上回る非一過性コンピュータ可読記憶媒体であって、前記命令は、１つまたはそれを上回るプロセッサによって実行されると、
メディアデバイスにおいて、メディアコンテンツアイテムの基準バージョンと関連付けられた複数の時間ベースのメタデータを受信するステップであって、前記複数の時間ベースのメタデータは、前記メディアコンテンツアイテムがコンテンツプロバイダによって最初に放送された際にサービスプロバイダによって作成され、前記複数の時間ベースのメタデータは、前記メディアコンテンツアイテム内の第１の位置を示す前記メディアコンテンツアイテム内のインバンドデータの第１のハッシュ値データシーケンスおよび前記メディアコンテンツアイテム内の第２の位置を示す前記メディアコンテンツアイテム内のインバンドデータの第２のハッシュ値データシーケンスを含む、ステップと、
前記メディアデバイスにおける記憶デバイス上に、前記メディアコンテンツアイテムの受信されたバージョンを記憶するステップと、
第１のユーザ入力に応答して、前記記憶されたメディアコンテンツアイテムの表示を生じさせるステップと、
前記記憶されたメディアコンテンツアイテムの表示を生じさせながら、前記記憶されたメディアコンテンツアイテム内のインバンドデータのハッシュ値シーケンスを計算するステップと、
第１の計算されたハッシュ値シーケンスが前記第１のハッシュ値シーケンスに類似することを判定するステップと、
第２のユーザ入力に応答して、
第２の計算されたハッシュ値シーケンスが前記第２のハッシュ値シーケンスに類似することを判定するステップと、
前記記憶されたメディアコンテンツアイテムの表示に、前記第１の計算されたハッシュ値シーケンスと関連付けられた前記記憶されたメディアコンテンツアイテム内の第１の場所と、前記第２の計算されたハッシュ値シーケンスと関連付けられた前記記憶されたメディアコンテンツアイテム内の第２の場所との間の前記記憶されたメディアコンテンツアイテムの一部を表示させないステップと
を行わせる、１つまたはそれを上回る非一過性コンピュータ可読記憶媒体。
【請求項６】
前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないステップはさらに、
前記第２の場所と関連付けられたオフセットを計算するステップであって、前記オフセットは、前記第２の場所と関連付けられた時間と前記メディアコンテンツアイテムと関連付けられた現在のストリーム時間との間の差異に追加される、前記メディアデバイスにおける前記メディアコンテンツアイテムの受信されたバージョンと関連付けられた現在の時間を備え、前記現在のストリーム時間は、前記メディアコンテンツアイテム内の第１の位置に基づく、ステップ
を含む、請求項５に記載の１つまたはそれを上回る非一過性コンピュータ可読記憶媒体。
【請求項７】
ディアデバイスであって、
１つまたはそれを上回るプロセッサと、
記憶デバイスと、
命令を記憶する１つまたはそれを上回るコンピュータ可読記憶媒体であって、前記命令は、前記１つまたはそれを上回るプロセッサによって実行されると、前記メディアデバイスに、
メディアコンテンツアイテムの基準バージョンと関連付けられた複数の時間ベースのメタデータを受信することであって、前記複数の時間ベースのメタデータは、前記メディアコンテンツアイテムがコンテンツプロバイダによって最初に放送された際にサービスプロバイダによって作成され、前記複数の時間ベースのメタデータは、前記メディアコンテンツアイテム内の第１の位置を示す前記メディアコンテンツアイテム内のインバンドデータの第１のハッシュ値データシーケンスおよび前記メディアコンテンツアイテム内の第２の位置を示す前記メディアコンテンツアイテム内のインバンドデータの第２のハッシュ値データシーケンスを含む、ことと、
前記メディアデバイスにおける記憶デバイス上に、前記メディアコンテンツアイテムの受信されたバージョンを記憶することと、
第１のユーザ入力に応答して、前記記憶されたメディアコンテンツアイテムの表示を生じさせることと、
前記記憶されたメディアコンテンツアイテムの表示を生じさせながら、前記記憶されたメディアコンテンツアイテム内のインバンドデータのハッシュ値シーケンスを計算することと、
第１の計算されたハッシュ値シーケンスが前記第１のハッシュ値シーケンスに類似することを判定することと、
第２のユーザ入力に応答して、
第２の計算されたハッシュ値シーケンスが前記第２のハッシュ値シーケンスに類似することを判定することと、
前記記憶されたメディアコンテンツアイテムの表示に、前記第１の計算されたハッシュ値シーケンスと関連付けられた前記記憶されたメディアコンテンツアイテム内の第１の場所と前記第２の計算されたハッシュ値シーケンスと関連付けられた前記記憶されたメディアコンテンツアイテム内の第２の場所との間の前記記憶されたメディアコンテンツアイテムの一部を表示させないことと
を行わせる、１つまたはそれを上回るコンピュータ可読記憶媒体と
を備える、メディアデバイス。
【請求項８】
前記メディアコンテンツアイテムの受信されたバージョンは、前記メディアコンテンツアイテム内の第１の位置と異なる重複セグメント位置を有する、重複コンテンツセグメントを備え、前記メディアコンテンツ内のインバンドデータの重複ハッシュ値シーケンスと関連付けられた重複コンテンツセグメントは、前記重複セグメント位置を示し、前記１つまたはそれを上回るコンピュータ可読記憶媒体は、前記１つまたはそれを上回るプロセッサによって実行されるとさらに、前記メディアデバイスに、
第３の計算されたハッシュ値データシーケンスが前記第１のハッシュ値データシーケンスに類似することを判定することと、
前記第２のユーザ入力に応答して、
前記記憶されたメディアコンテンツアイテムの表示に、前記第３の計算されたハッシュ値シーケンスと関連付けられた前記記憶されたメディアコンテンツアイテム内の第３の場所における重複コンテンツセグメントを表示させることと
を行わせるさらなる命令を含む、請求項７に記載のメディアデバイス。
【請求項９】
前記メディアコンテンツアイテムの受信されたバージョンは、前記メディアデバイスに配信されるクラウドＤＶＲバージョンを備える、請求項７に記載のメディアデバイス。
【請求項１０】
前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないことはさらに、
前記第２の場所と関連付けられたオフセットを計算することであって、前記オフセットは、前記第２の場所と関連付けられた時間と前記メディアコンテンツアイテムと関連付けられた現在のストリーム時間との間の差異に追加される、前記メディアデバイスにおける前記メディアコンテンツアイテムの受信されたバージョンと関連付けられた現在の時間を備え、前記現在のストリーム時間は、前記メディアコンテンツアイテム内の第１の位置に基づく、ことを
含む、請求項７に記載のメディアデバイス。
【請求項１１】
前記第２のユーザ入力は、タイムラインユーザインターフェースの選択を備え、前記選択は、前記第２の場所を示し、前記１つまたはそれを上回るコンピュータ可読記憶媒体は、前記１つまたはそれを上回るプロセッサによって実行されるとさらに、前記メディアデバイスに、
前記選択に基づいて、前記オフセットを判定することと、
前記選択に基づいて、前記オフセットを使用して、前記記憶されたメディアコンテンツアイテムの表示に、前記記憶されたメディアコンテンツアイテム内の第１の場所と第２の場所との間の前記記憶されたメディアコンテンツアイテムの部分を表示させないことと
を行わせるさらなる命令を含む、請求項１０に記載のメディアデバイス。
【手続補正２】
【補正対象書類名】明細書
【補正対象項目名】０００５
【補正方法】変更
【補正の内容】
【０００５】
本願明細書は、例えば、以下の項目も提供する。
（項目１）
方法であって、
メディアデバイスにおいて、メディアコンテンツアイテムの基準バージョンと関連付けられた複数の時間ベースのメタデータを受信するステップであって、前記複数の時間ベースのメタデータは、前記メディアコンテンツアイテムがコンテンツプロバイダによって最初に放送された際にサービスプロバイダによって作成され、前記複数の時間ベースのメタデータは、前記メディアコンテンツアイテム内の第１の位置を示す前記メディアコンテンツアイテム内のインバンドデータの第１のハッシュ値データシーケンスおよび前記メディアコンテンツアイテム内の第２の位置を示す前記メディアコンテンツアイテム内のインバンドデータの第２のハッシュ値データシーケンスを含む、ステップと、
前記メディアデバイスにおける記憶デバイス上に、前記メディアコンテンツアイテムの受信されたバージョンを記憶するステップと、
第１のユーザ入力に応答して、前記記憶されたメディアコンテンツアイテムの表示を生じさせるステップと、
前記記憶されたメディアコンテンツアイテムの表示を生じさせながら、前記記憶されたメディアコンテンツアイテム内のインバンドデータのハッシュ値シーケンスを計算するステップと、
第１の計算されたハッシュ値シーケンスが前記第１のハッシュ値シーケンスに類似することを判定するステップと、
第２のユーザ入力に応答して、
第２の計算されたハッシュ値シーケンスが前記第２のハッシュ値シーケンスに類似することを判定するステップと、
前記記憶されたメディアコンテンツアイテムの表示に、前記第１の計算されたハッシュ値シーケンスと関連付けられた前記記憶されたメディアコンテンツアイテム内の第１の場所と、前記第２の計算されたハッシュ値シーケンスと関連付けられた前記記憶されたメディアコンテンツアイテム内の第２の場所との間の前記記憶されたメディアコンテンツアイテムの一部を表示させないステップと
を含む、方法。
（項目２）
前記メディアコンテンツアイテムの受信されたバージョンは、前記メディアデバイスにローカルに記録される放送バージョンを備える、項目１に記載の方法。
（項目３）
前記メディアコンテンツアイテムの受信されたバージョンは、前記メディアデバイスに配信されるトランスコードされたバージョンを備える、項目１に記載の方法。
（項目４）
前記メディアコンテンツアイテムの受信されたバージョンは、前記メディアコンテンツアイテム内の第１の位置と異なる重複セグメント位置を有する、重複コンテンツセグメントを備え、前記メディアコンテンツ内のインバンドデータの重複ハッシュ値シーケンスと関連付けられた重複コンテンツセグメントは、前記重複セグメント位置を示し、前記方法はさらに、
第３の計算されたハッシュ値データシーケンスが前記第１のハッシュ値データシーケンスに類似することを判定するステップと、
前記第２のユーザ入力に応答して、
前記記憶されたメディアコンテンツアイテムの表示に、前記重複コンテンツセグメントを前記第３の計算されたハッシュ値シーケンスと関連付けられた前記記憶されたメディアコンテンツアイテム内の第３の場所に表示させるステップと
を含む、項目１に記載の方法。
（項目５）
前記メディアコンテンツアイテムの受信されたバージョンは、前記メディアデバイスに配信されるクラウドＤＶＲバージョンを備える、項目１に記載の方法。
（項目６）
前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないステップはさらに、
前記第２の場所と関連付けられたオフセットを計算するステップであって、前記オフセットは、前記第２の場所と関連付けられた時間と前記メディアコンテンツアイテムと関連付けられた現在のストリーム時間との間の差異に追加される、前記メディアデバイスにおける前記メディアコンテンツアイテムの受信されたバージョンと関連付けられた現在の時間を備え、前記現在のストリーム時間は、前記メディアコンテンツアイテム内の第１の位置に基づく、ステップ
を含む、項目１に記載の方法。
（項目７）
前記第２のユーザ入力は、タイムラインユーザインターフェースの選択を備え、前記選択は、前記第２の場所を示し、前記方法はさらに、
前記選択に基づいて、前記オフセットを判定するステップと、
前記選択に基づいて、前記オフセットを使用して、前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないステップと
を含む、項目６に記載の方法。
（項目８）
命令を記憶する１つまたはそれを上回る非一過性コンピュータ可読記憶媒体であって、前記命令は、１つまたはそれを上回るプロセッサによって実行されると、
メディアデバイスにおいて、メディアコンテンツアイテムの基準バージョンと関連付けられた複数の時間ベースのメタデータを受信するステップであって、前記複数の時間ベースのメタデータは、前記メディアコンテンツアイテムがコンテンツプロバイダによって最初に放送された際にサービスプロバイダによって作成され、前記複数の時間ベースのメタデータは、前記メディアコンテンツアイテム内の第１の位置を示す前記メディアコンテンツアイテム内のインバンドデータの第１のハッシュ値データシーケンスおよび前記メディアコンテンツアイテム内の第２の位置を示す前記メディアコンテンツアイテム内のインバンドデータの第２のハッシュ値データシーケンスを含む、ステップと、
前記メディアデバイスにおける記憶デバイス上に、前記メディアコンテンツアイテムの受信されたバージョンを記憶するステップと、
第１のユーザ入力に応答して、前記記憶されたメディアコンテンツアイテムの表示を生じさせるステップと、
前記記憶されたメディアコンテンツアイテムの表示を生じさせながら、前記記憶されたメディアコンテンツアイテム内のインバンドデータのハッシュ値シーケンスを計算するステップと、
第１の計算されたハッシュ値シーケンスが前記第１のハッシュ値シーケンスに類似することを判定するステップと、
第２のユーザ入力に応答して、
第２の計算されたハッシュ値シーケンスが前記第２のハッシュ値シーケンスに類似することを判定するステップと、
前記記憶されたメディアコンテンツアイテムの表示に、前記第１の計算されたハッシュ値シーケンスと関連付けられた前記記憶されたメディアコンテンツアイテム内の第１の場所と、前記第２の計算されたハッシュ値シーケンスと関連付けられた前記記憶されたメディアコンテンツアイテム内の第２の場所との間の前記記憶されたメディアコンテンツアイテムの一部を表示させないステップと、
を行わせる、１つまたはそれを上回る非一過性コンピュータ可読記憶媒体。
（項目９）
前記メディアコンテンツアイテムの受信されたバージョンは、前記メディアデバイスにローカルに記録される放送バージョンを備える、項目８に記載の１つまたはそれを上回る非一過性コンピュータ可読記憶媒体。
（項目１０）
前記メディアコンテンツアイテムの受信されたバージョンは、前記メディアデバイスに配信されるトランスコードされたバージョンを備える、項目８に記載の１つまたはそれを上回る非一過性コンピュータ可読記憶媒体。
（項目１１）
前記メディアコンテンツアイテムの受信されたバージョンは、前記メディアコンテンツアイテム内の第１の位置と異なる重複セグメント位置を有する、重複コンテンツセグメントを備え、前記メディアコンテンツ内のインバンドデータの重複ハッシュ値シーケンスと関連付けられた重複コンテンツセグメントは、前記重複セグメント位置を示し、前記１つまたはそれを上回る非一過性コンピュータ可読記憶媒体は、前記１つまたはそれを上回るプロセッサによって実行されると、
第３の計算されたハッシュ値データシーケンスが前記第１のハッシュ値データシーケンスに類似することを判定するステップと、
前記第２のユーザ入力に応答して、
前記記憶されたメディアコンテンツアイテムの表示に、前記重複コンテンツセグメントを前記第３の計算されたハッシュ値シーケンスと関連付けられた前記記憶されたメディアコンテンツアイテム内の第３の場所に表示させるステップと
をさらに行わせる、項目８に記載の１つまたはそれを上回る非一過性コンピュータ可読記憶媒体。
（項目１２）
前記メディアコンテンツアイテムの受信されたバージョンは、前記メディアデバイスに配信されるクラウドＤＶＲバージョンを備える、項目８に記載の１つまたはそれを上回る非一過性コンピュータ可読記憶媒体。
（項目１３）
前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないステップはさらに、
前記第２の場所と関連付けられたオフセットを計算するステップであって、前記オフセットは、前記第２の場所と関連付けられた時間と前記メディアコンテンツアイテムと関連付けられた現在のストリーム時間との間の差異に追加される、前記メディアデバイスにおける前記メディアコンテンツアイテムの受信されたバージョンと関連付けられた現在の時間を備え、前記現在のストリーム時間は、前記メディアコンテンツアイテム内の第１の位置に基づく、ステップ
を含む、項目８に記載の１つまたはそれを上回る非一過性コンピュータ可読記憶媒体。
（項目１４）
前記第２のユーザ入力は、タイムラインユーザインターフェースの選択を備え、前記選択は、前記第２の場所を示し、前記１つまたはそれを上回る非一過性コンピュータ可読記憶媒体は、前記１つまたはそれを上回るプロセッサによって実行されると、
前記選択に基づいて、前記オフセットを判定するステップと、
前記選択に基づいて、前記オフセットを使用して、前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないステップと
をさらに行わせる、項目１３に記載の１つまたはそれを上回る非一過性コンピュータ可読記憶媒体。
（項目１５）
ディアデバイスであって、
１つまたはそれを上回るプロセッサと、
記憶デバイスと、
命令を記憶する１つまたはそれを上回るコンピュータ可読記憶媒体であって、前記命令は、前記１つまたはそれを上回るプロセッサによって実行されると、前記メディアデバイスに、
メディアコンテンツアイテムの基準バージョンと関連付けられた複数の時間ベースのメタデータを受信することであって、前記複数の時間ベースのメタデータは、前記メディアコンテンツアイテムがコンテンツプロバイダによって最初に放送された際にサービスプロバイダによって作成され、前記複数の時間ベースのメタデータは、前記メディアコンテンツアイテム内の第１の位置を示す前記メディアコンテンツアイテム内のインバンドデータの第１のハッシュ値データシーケンスおよび前記メディアコンテンツアイテム内の第２の位置を示す前記メディアコンテンツアイテム内のインバンドデータの第２のハッシュ値データシーケンスを含む、ことと、
前記メディアデバイスにおける記憶デバイス上に、前記メディアコンテンツアイテムの受信されたバージョンを記憶することと、
第１のユーザ入力に応答して、前記記憶されたメディアコンテンツアイテムの表示を生じさせることと、
前記記憶されたメディアコンテンツアイテムの表示を生じさせながら、前記記憶されたメディアコンテンツアイテム内のインバンドデータのハッシュ値シーケンスを計算することと、
第１の計算されたハッシュ値シーケンスが前記第１のハッシュ値シーケンスに類似することを判定することと、
第２のユーザ入力に応答して、
第２の計算されたハッシュ値シーケンスが前記第２のハッシュ値シーケンスに類似することを判定することと、
前記記憶されたメディアコンテンツアイテムの表示に、前記第１の計算されたハッシュ値シーケンスと関連付けられた前記記憶されたメディアコンテンツアイテム内の第１の場所と前記第２の計算されたハッシュ値シーケンスと関連付けられた前記記憶されたメディアコンテンツアイテム内の第２の場所との間の前記記憶されたメディアコンテンツアイテムの一部を表示させないことと
を行わせる、１つまたはそれを上回るコンピュータ可読記憶媒体と
を備える、メディアデバイス。
（項目１６）
前記メディアコンテンツアイテムの受信されたバージョンは、前記メディアデバイスにローカルに記録される放送バージョンを備える、項目１５に記載のメディアデバイス。
（項目１７）
前記メディアコンテンツアイテムの受信されたバージョンは、前記メディアデバイスに配信されるトランスコードされたバージョンを備える、項目１５に記載のメディアデバイス。
（項目１８）
前記メディアコンテンツアイテムの受信されたバージョンは、前記メディアコンテンツアイテム内の第１の位置と異なる重複セグメント位置を有する、重複コンテンツセグメントを備え、前記メディアコンテンツ内のインバンドデータの重複ハッシュ値シーケンスと関連付けられた重複コンテンツセグメントは、前記重複セグメント位置を示し、前記１つまたはそれを上回るコンピュータ可読記憶媒体は、前記１つまたはそれを上回るプロセッサによって実行されるとさらに、前記メディアデバイスに、
第３の計算されたハッシュ値データシーケンスが前記第１のハッシュ値データシーケンスに類似することを判定することと、
前記第２のユーザ入力に応答して、
前記記憶されたメディアコンテンツアイテムの表示に、前記第３の計算されたハッシュ値シーケンスと関連付けられた前記記憶されたメディアコンテンツアイテム内の第３の場所における重複コンテンツセグメントを表示させることと
を行わせるさらなる命令を含む、項目１５に記載のメディアデバイス。
（項目１９）
前記メディアコンテンツアイテムの受信されたバージョンは、前記メディアデバイスに配信されるクラウドＤＶＲバージョンを備える、項目１５に記載のメディアデバイス。
（項目２０）
前記記憶されたメディアコンテンツアイテムの表示に、前記記憶されたメディアコンテンツアイテム内の前記第１の場所と前記第２の場所との間の前記記憶されたメディアコンテンツアイテムの部分を表示させないことはさらに、
前記第２の場所と関連付けられたオフセットを計算することであって、前記オフセットは、前記第２の場所と関連付けられた時間と前記メディアコンテンツアイテムと関連付けられた現在のストリーム時間との間の差異に追加される、前記メディアデバイスにおける前記メディアコンテンツアイテムの受信されたバージョンと関連付けられた現在の時間を備え、前記現在のストリーム時間は、前記メディアコンテンツアイテム内の第１の位置に基づく、ことを
含む、項目１５に記載のメディアデバイス。
（項目２１）
前記第２のユーザ入力は、タイムラインユーザインターフェースの選択を備え、前記選択は、前記第２の場所を示し、前記１つまたはそれを上回るコンピュータ可読記憶媒体は、前記１つまたはそれを上回るプロセッサによって実行されるとさらに、前記メディアデバイスに、
前記選択に基づいて、前記オフセットを判定することと、
前記選択に基づいて、前記オフセットを使用して、前記記憶されたメディアコンテンツアイテムの表示に、前記記憶されたメディアコンテンツアイテム内の第１の場所と第２の場所との間の前記記憶されたメディアコンテンツアイテムの部分を表示させないことと
を行わせるさらなる命令を含む、項目２０に記載のメディアデバイス。
以下の説明では、説明目的のため、多数の具体的詳細が、本発明の完全な理解を提供するために記載される。しかしながら、本発明がこれらの具体的詳細を伴わずに実践されてもよいことは、明白となるであろう。他の事例では、周知の構造およびデバイスは、本発明を不必要に曖昧にすることを回避するために、ブロック図形態で示される。